(57)【要約】【課題】人物を感覚的に表現した画像の情報としての信頼性を高められる装置、方法及びプログラムを提供すること。【解決手段】サーバ１０は、人物を表現した画像の画像データを記憶する登録会員ＤＢ４０２と、登録会員ＤＢ４０２により記憶された画像データが示す画像と人物との類似度を評価する評価入力を受け付ける類似度評価受付部３０４と、類似度評価受付部３０４により受け付けた評価入力を統計処理することにより、画像と人物との類似度を算出する類似度算出部３０５と、を備える。【選択図】図３
2010044507.tif 000002
【特許請求の範囲】
【請求項１】
人物を表現した画像と当該人物との類似度を判定する類似度判定装置であって、
前記人物を表現した画像の画像データを記憶する記憶手段と、
前記記憶手段により記憶された画像データが示す画像と前記人物との類似度を評価する評価入力を受け付ける評価受付手段と、
前記評価受付手段により受け付けた評価入力を統計処理することにより、前記画像と前記人物との類似度を算出する類似度算出手段と、を備える類似度判定装置。
【請求項２】
ユーザ端末から要求された複数のアイテムデータの組み合わせにより、アバターを作成する作成手段をさらに備え、
前記記憶手段は、前記画像データとして、前記作成手段により作成されたアバターを記憶することを特徴とする請求項１に記載の類似度判定装置。
【請求項３】
前記評価受付手段は、前記人物との関連付けがなされた所定のグループ内のユーザから、前記評価入力を受け付けることを特徴とする請求項１または請求項２に記載の類似度判定装置。
【請求項４】
前記画像データと共に、前記類似度算出手段により算出された類似度を送信する送信手段をさらに備え、
前記記憶手段は、ユーザからの要求により、当該ユーザ自身を示す画像データを記憶し、
前記送信手段は、前記ユーザとは別のユーザからの要求に応じて、前記類似度を伴った前記画像データを、当該別のユーザの端末へ送信することを特徴とする請求項１から請求項３のいずれかに記載の類似度判定装置。
【請求項５】
前記ユーザから評価依頼を受け付ける依頼受付手段をさらに備え、
前記評価受付手段および前記類似度算出手段は、前記依頼受付手段により評価依頼を受け付けた場合に機能させることを特徴とする請求項４に記載の類似度判定装置。
【請求項６】
前記人物の属性データと共に、前記類似度算出手段により算出された類似度を送信する送信手段をさらに備え、
前記記憶手段は、ユーザからの要求により、当該ユーザが紹介を希望する人物像を示す画像データを記憶し、
前記送信手段は、前記ユーザからの要求に応じて、前記類似度を伴った前記人物の属性データを、当該ユーザの端末へ送信することを特徴とする請求項１から請求項３のいずれかに記載の類似度判定装置。
【請求項７】
前記人物の属性データまたは類似度に関する選択条件を受け付ける条件受付手段をさらに備え、
前記送信手段は、前記条件受付手段により受け付けた選択条件を満たす人物の属性データおよび類似度を送信することを特徴とする請求項６に記載の類似度判定装置。
【請求項８】
前記送信手段により送信された人物を前記希望する人物像と比較した評価を、前記ユーザから受け付ける比較評価受付手段と、
前記類似度および、前記比較評価受付手段により受け付けた評価に基づいて、前記人物の類似度を評価した推薦者の評価値を算出する推薦者評価算出手段と、をさらに備える請求項６または請求項７に記載の類似度判定装置。
【請求項９】
前記記憶手段により記憶された画像データが変更された場合に、当該変更された部分に応じた所定のルールに基づいて、前記類似度算出手段により算出された類似度を初期化する初期化手段をさらに備える請求項１から請求項８のいずれかに記載の類似度判定装置。
【請求項１０】
人物を表現した画像と当該人物との類似度をコンピュータが判定する方法であって、
前記人物を表現した画像の画像データを記憶する記憶ステップと、
前記記憶ステップにより記憶された画像データが示す画像と前記人物との類似度を評価する評価入力を受け付ける評価受付ステップと、
前記評価受付ステップにより受け付けた評価入力を統計処理することにより、前記画像と前記人物との類似度を算出する類似度算出ステップと、を含む方法。
【請求項１１】
請求項１０に記載の方法をコンピュータに実行させるプログラム。
【発明の詳細な説明】
【技術分野】
【０００１】
本発明は、人物とアバターとの類似度を判定する装置、方法、およびプログラムに関する。
【背景技術】
【０００２】
従来、ユーザ間のコミュニケーションを支援するポータルサイトの機能として、顔、髪型、服装等を選択してユーザ自身を象徴するキャラクタ画像であるアバターを作成して表示させるサービスが提供されている。このアバターは、ユーザの分身として、ネットワーク上での擬似的な行動主体として存在し、しばしばユーザ自身の写真の代わりとしても用いられる。
【０００３】
このように、アバターは、ユーザが他のユーザと対話したり、情報発信したりする場合の、ネットワーク上のコミュニティにおけるコミュニケーションをサポートする。さらに、例えば、特許文献１には、ユーザ間で類似したアバターを検索し、コミュニティ形成手段として活用する方法が提案されている。
【特許文献１】特開２００７−３２８６９９号公報
【発明の開示】
【発明が解決しようとする課題】
【０００４】
ところで、ネットワーク上でサークルメンバーの募集を行ったり、交際相手の紹介を行うサービスを利用したりする場合には、各種情報と共に写真を掲載することも多い。そして、写真を掲載することに抵抗がある場合には、掲載をしないか、あるいはアバター等の別画像を掲載することで、人物の雰囲気や特徴を示すことも考えられる。
【０００５】
しかしながら、このようにして利用されるアバター等の画像は、実際にその人物に似ているか否かが不明であるため、情報としての信頼性が低かった。
【０００６】
そこで本発明は、人物を感覚的に表現した画像の情報としての信頼性を高められる装置、方法、およびプログラムを提供することを目的とする。
【課題を解決するための手段】
【０００７】
本発明では、以下のような解決手段を提供する。
【０００８】
（１）  人物を表現した画像と当該人物との類似度を判定する類似度判定装置であって、
前記人物を表現した画像の画像データを記憶する記憶手段と、
前記記憶手段により記憶された画像データが示す画像と前記人物との類似度を評価する評価入力を受け付ける評価受付手段と、
前記評価受付手段により受け付けた評価入力を統計処理することにより、前記画像と前記人物との類似度を算出する類似度算出手段と、を備える類似度判定装置。
【０００９】
このような構成によれば、当該類似度判定装置は、人物を表現した画像の画像データを記憶し、記憶された画像データが示す画像と人物との類似度を評価する評価入力を受け付け、受け付けた評価入力を統計処理することにより、画像と人物との類似度を算出する。
【００１０】
このことにより、当該類似度判定装置は、似顔絵やアバター等の画像で表された人物と面識のあるユーザから類似度に関する評価入力を受け付けることができるので、画像の本人との類似度に関して信頼性を高めることができる。さらに、当該類似度判定装置は、受け付けた評価入力を統計処理して類似度を算出することにより、複数ユーザの意見が反映されるので、情報としての信頼性をより高めることができる。
【００１１】
（２）  ユーザ端末から要求された複数のアイテムデータの組み合わせにより、アバターを作成する作成手段をさらに備え、
前記記憶手段は、前記画像データとして、前記作成手段により作成されたアバターを記憶することを特徴とする（１）に記載の類似度判定装置。
【００１２】
このような構成によれば、当該類似度判定装置は、ユーザ端末から要求された複数のアイテムデータの組み合わせにより、アバターを作成し、画像データとして、作成されたアバターを記憶する。
【００１３】
このことにより、当該類似度判定装置は、人物のネットワーク上の分身として、複数のアイテムを組み合わせたアバターを作成して記憶することができる。そして、当該類似度判定装置は、このアバターに関しても、人物との類似度を判定するので、信頼性の高いアバターをユーザのコミュニケーションに利用させることができる。
【００１４】
（３）  前記評価受付手段は、前記人物との関連付けがなされた所定のグループ内のユーザから、前記評価入力を受け付けることを特徴とする（１）または（２）に記載の類似度判定装置。
【００１５】
このような構成によれば、当該類似度判定装置は、類似度に関する評価入力を受け付けるユーザとして、所定の関連付けがなされたユーザとする。したがって、例えば、面識があることを前提とした関連付けがなされることにより、評価入力がより信頼できるものとなるので、算出される類似度の信頼性が高まる。
【００１６】
（４）  前記画像データと共に、前記類似度算出手段により算出された類似度を送信する送信手段をさらに備え、
前記記憶手段は、ユーザからの要求により、当該ユーザ自身を示す画像データを記憶し、
前記送信手段は、前記ユーザとは別のユーザからの要求に応じて、前記類似度を伴った前記画像データを、当該別のユーザの端末へ送信することを特徴とする（１）から（３）のいずれかに記載の類似度判定装置。
【００１７】
このような構成によれば、当該類似度判定装置は、ユーザからの要求により、当該ユーザ自身を示す画像データを記憶し、当該ユーザとは別のユーザからの要求に応じて、類似度を伴った画像データを、別のユーザの端末へ送信する。
【００１８】
このことにより、当該類似度判定装置は、ユーザ自身を示す画像（アバター等）に対して類似度を付加し、別のユーザへ提供することができる。したがって、例えば、写真の代わりとして、自身の特徴を信頼性高く感覚的に伝えることができる。さらに、閲覧者は、付加された類似度を加味して、当該ユーザの情報を読み取ることができる。
【００１９】
（５）  前記ユーザから評価依頼を受け付ける依頼受付手段をさらに備え、
前記評価受付手段および前記類似度算出手段は、前記依頼受付手段により評価依頼を受け付けた場合に機能させることを特徴とする（４）に記載の類似度判定装置。
【００２０】
このような構成によれば、当該類似度判定装置は、前記ユーザから評価依頼を受け付けた場合に、類似度を判定する。したがって、ユーザは、自身の容姿を公開したくないような場合には、秘匿性を保ちつつ、アバター等の画像を利用することができる。
【００２１】
（６）  前記人物の属性データと共に、前記類似度算出手段により算出された類似度を送信する送信手段をさらに備え、
前記記憶手段は、ユーザからの要求により、当該ユーザが紹介を希望する人物像を示す画像データを記憶し、
前記送信手段は、前記ユーザからの要求に応じて、前記類似度を伴った前記人物の属性データを、当該ユーザの端末へ送信することを特徴とする（１）から（３）のいずれかに記載の類似度判定装置。
【００２２】
このような構成によれば、当該類似度判定装置は、ユーザからの要求により、当該ユーザが紹介を希望する人物像を示す画像データを記憶し、人物の属性データと共に、算出された類似度を当該ユーザの端末へ送信する。
【００２３】
このことにより、当該類似度判定装置は、ユーザが交流を希望する人物像をアバター等の画像として記憶し、実際の人物との類似度を判定するので、この類似度と共にユーザに対して人物の属性データを提供することができる。したがって、ユーザは、画像という感覚的な条件指示により、希望する人物の属性データ（例えば、プロフィール、推薦コメント等）を取得することができる。また、類似度が付加されていることにより、ユーザは、信頼性の高い情報を取得することができる。
【００２４】
（７）  前記人物の属性データまたは類似度に関する選択条件を受け付ける条件受付手段をさらに備え、
前記送信手段は、前記条件受付手段により受け付けた選択条件を満たす人物の属性データおよび類似度を送信することを特徴とする（６）に記載の類似度判定装置。
【００２５】
このような構成によれば、当該類似度判定装置は、人物の属性データまたは類似度に関する選択条件を受け付け、受け付けた選択条件を満たす人物の属性データおよび類似度を送信する。
【００２６】
このことにより、当該類似度判定装置は、ユーザから指定された選択条件に基づいて、希望する人物の属性データおよび類似度を提供するので、ユーザは、アバター等の画像に類似し、希望条件に合った人物を効率的に取得することができる。
【００２７】
（８）  前記送信手段により送信された人物を前記希望する人物像と比較した評価を、前記ユーザから受け付ける比較評価受付手段と、
前記類似度および、前記比較評価受付手段により受け付けた評価に基づいて、前記人物の類似度を評価した推薦者の評価値を算出する推薦者評価算出手段と、をさらに備える（６）または（７）に記載の類似度判定装置。
【００２８】
このような構成によれば、当該類似度判定装置は、送信された人物を前記希望する人物像と比較した評価をユーザから受け付け、類似度および受け付けた評価に基づいて、人物の類似度を評価した推薦者の評価値を算出する。
【００２９】
このことにより、当該類似度判定装置は、類似する人物を推薦した推薦者について、ユーザから受け付けた評価に基づく評価値を算出するので、推薦者に対して正確な入力を促すことができる。また、この評価値に基づいて推薦情報（類似する人物の属性情報）を選択したり、優先度の重み付けを行うことができるので、ユーザは、より信頼性の高い情報を取得することができる。
【００３０】
（９）  前記記憶手段により記憶された画像データが変更された場合に、当該変更された部分に応じた所定のルールに基づいて、前記類似度算出手段により算出された類似度を初期化する初期化手段をさらに備える（１）から（８）のいずれかに記載の類似度判定装置。
【００３１】
このような構成によれば、当該類似度判定装置は、所定のルールに基づいて、算出された類似度を初期化する。例えば、アバターの顔アイテムが変更されたり、種類が大きく異なる服装アイテムに変更されたりした場合には、画像の印象が変わるので、以前のアバターで算出された類似度は信用できない値として初期化する。一方、背景が変更されたり、鞄のみが変更されたりした場合には、人物の印象は大きく変わらないため、以前に算出された類似度をそのまま使用することができる。したがって、当該類似度判定装置は、記憶される画像が変更された場合にも、類似度を適切に更新できる可能性がある。
【００３２】
（１０）  人物を表現した画像と当該人物との類似度をコンピュータが判定する方法であって、
前記人物を表現した画像の画像データを記憶する記憶ステップと、
前記記憶ステップにより記憶された画像データが示す画像と前記人物との類似度を評価する評価入力を受け付ける評価受付ステップと、
前記評価受付ステップにより受け付けた評価入力を統計処理することにより、前記画像と前記人物との類似度を算出する類似度算出ステップと、を含む方法。
【００３３】
このような構成によれば、当該方法を実行することにより、（１）と同様の効果が期待できる。
【００３４】
（１１）  （１０）に記載の方法をコンピュータに実行させるプログラム。
【００３５】
このような構成によれば、当該プログラムをコンピュータに実行させることにより、（１）と同様の効果が期待できる。
【発明の効果】
【００３６】
本発明によれば、人物を感覚的に表現した画像の情報としての信頼性を高めることができる。
【発明を実施するための最良の形態】
【００３７】
＜第１実施形態＞
以下、本発明の第１実施形態について図を参照しながら説明する。本実施形態では、本人を示す画像としてのアバターを、本人との類似度の判定結果と共に、他のユーザの端末へ表示させる。なお、以下では、各端末のユーザは、所定のサービス（例えば、ＳＮＳ（Ｓｏｃｉａｌ  Ｎｅｔｗｏｒｋ  Ｓｅｒｖｉｃｅ）等）の会員に属しているものとして説明する。
【００３８】
［システム全体構成］
図１は、本実施形態に係るシステム構成および処理概要を示す図である。このシステムでは、本発明の類似度判定装置としてのサーバ１０と、端末２０、３０、４０と、がネットワークを介して接続されている。
【００３９】
ユーザ（本人）は、端末２０において、各種アイテムを組み合わせて本人アバターを作成し、サーバ１０に登録する。この登録された本人アバターは、本人と面識のある友人の端末３０にも表示される。友人は、この本人アバターと実際の人物（本人）とが似ているか否かを評価してサーバ１０へ入力する。
【００４０】
サーバ１０は、友人の端末３０から入力された評価入力に基づいて、本人アバターと本人との類似度を算出する。そして、他の会員の端末４０では、検索条件にマッチした人物のプロフィールと共に、この人物のアバターに対して算出された類似度が付加されて表示される。
【００４１】
［ハードウェア構成］
図２は、本実施形態に係るサーバ１０のハードウェア構成を示す図である。サーバ１０は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０、並びに、半導体メモリ３９０はまとめて記憶装置４１０と呼ばれる。
【００４２】
制御部３００は、サーバ１０を統括的に制御する部分であり、ハードディスク３７０（後述）に記憶された各種プログラムを適宜読み出して実行することにより、上述したハードウェアと協働し、本発明に係る各種機能を実現している。
【００４３】
通信Ｉ／Ｆ３３０は、サーバ１０が、ネットワークを介して端末２０、３０、４０等、他の装置と情報を送受信する場合のネットワーク・アダプタである。通信Ｉ／Ｆ３３０は、モデム、ケーブル・モデムおよびイーサネット（登録商標）・アダプタを含んでよい。
【００４４】
ＢＩＯＳ３５０は、サーバ１０の起動時にＣＰＵ３１０が実行するブートプログラムや、サーバ１０のハードウェアに依存するプログラム等を記録する。
【００４５】
Ｉ／Ｏコントローラ３６０には、ハードディスク３７０、光ディスクドライブ３８０、および半導体メモリ３９０等の記憶装置４１０を接続することができる。
【００４６】
ハードディスク３７０は、本ハードウェアをサーバ１０として機能させるための各種プログラム、本発明の機能を実行するプログラムおよび後述するテーブル等を記憶する。なお、サーバ１０は、外部に別途設けたハードディスク（図示せず）を外部記憶装置として利用することもできる。
【００４７】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラムまたはデータを読み取り、Ｉ／Ｏコントローラ３６０を介してメインメモリ３４０またはハードディスク３７０に提供することもできる。
【００４８】
なお、本発明でいうコンピュータとは、記憶装置、制御部等を備えた情報処理装置をいい、サーバ１０は、記憶装置４１０、制御部３００等を備えた情報処理装置により構成され、この情報処理装置は、本発明のコンピュータの概念に含まれる。
【００４９】
［機能構成］
図３は、本実施形態に係るサーバ１０の機能構成を示す図である。サーバ１０の制御部３００は、作成手段および初期化手段としてのアバター作成部３０１と、依頼受付手段としての評価依頼受付部３０２と、本人アバター表示部３０３と、評価受付手段としての類似度評価受付部３０４と、類似度算出手段としての類似度算出部３０５と、送信手段としての類似度表示部３０６と、を備える。また、サーバ１０の記憶装置４１０は、アイテムＤＢ４０１と、記憶手段としての登録会員ＤＢ４０２と、を備える。
【００５０】
アバター作成部３０１は、本人の端末２０からの要求に応じて、アイテムＤＢ４０１から各種アイテムデータを抽出し、本人のアバターを作成する。作成されたアバターデータは、登録会員ＤＢ４０２に本人のユーザＩＤと対応付けて記憶される。
【００５１】
評価依頼受付部３０２は、本人の端末２０から、アバター作成部３０１にて作成されて記憶されたアバターの、本人との類似度の評価依頼を受け付ける。すなわち、評価依頼受付部３０２は、評価依頼を受け付けた場合に、以下の類似度算出に係る手段を機能させる。
【００５２】
本人アバター表示部３０３は、登録会員ＤＢ４０２に記憶された本人アバターを、友人の端末３０へ送信する。送信のタイミングは、本人が作成したブログ等のＷｅｂページや、交流相手を紹介する紹介サービスの専用Ｗｅｂページ等を友人が閲覧した際であってよい。また、評価依頼受付部３０２により評価依頼を受け付けたことに応じて、予め設定された友人宛にメール等により本人アバターと共に評価入力フォームのＵＲＬを送信する等であってもよい。
【００５３】
類似度評価受付部３０４は、友人の端末３０から、本人アバターが本人と類似しているか否かに関する評価の入力を受け付ける。なお、評価の入力は、予め本人と関連付けされたユーザ（友人）からのみ可能とし、この関連付けは、面識があることを前提として、両者の同意のもとに関連付けて記憶される。これにより、評価入力の信頼度を高めることができる。ここで、評価の入力方法は、例えば、１０点満点での点数や、ＡＢＣの３段階評価等であってよい。
【００５４】
類似度算出部３０５は、類似度評価受付部３０４により受け付けた複数の評価入力に基づいて、本人アバターと本人との類似度を算出する。具体的には、既知の統計処理により算出してよく、例えば、評価の平均値を類似度としてよい。また、例えば、最も入力の多い評価値や、上下の所定の割合を除いた複数の評価値における平均値等であってもよい。そして、算出された類似度は、登録会員ＤＢ４０２に記憶される。
【００５５】
図４は、本実施形態に係る登録会員ＤＢ４０２に格納された会員テーブルを示す図である。会員テーブルには、本人のユーザＩＤに対して、本人を紹介するプロフィールデータと、アバターを構成する複数アイテムのコードと、類似度算出部３０５により算出された類似度および、類似度評価受付部３０４により評価入力を受け付けた人数と、が記憶される。例えば、ユーザ「１２３４」が作成したアバター（顔「Ｄ６７８」、髪型「Ｂ８９８」、・・・）は、ユーザ「１２３４」との類似度が１０点満点の「７．５」であり、１５人により評価されたことが示されている。なお、新たに評価入力を受け付けた場合には、類似度および評価人数により、類似度が再計算される。
【００５６】
類似度表示部３０６は、他の会員の端末４０からの要求（例えば、プロフィールに関する抽出条件を伴う検索要求）に応じて、登録会員ＤＢ４０２に記憶された類似度を、アバター画像に付加し、他の会員の端末４０へ送信する。これにより、類似度の高いアバターは、本人の写真の代わりとして他の会員に認識される。
【００５７】
なお、類似度の表示方法は、会員テーブル（図４）に記憶された点数そのままであってよいが、これには限られない。例えば、ＡＢＣの３段階に変換して表示してもよいし、点数に応じた表示態様（表示濃度調整や、色分けや、飾り付け等）を行ってもよい。
【００５８】
［処理フロー］
図５は、本実施形態に係るサーバ１０における類似度判定の処理を示すフローチャートである。すなわち、制御部３００は、友人の端末３０に本人アバターを表示させ、類似度に関する評価入力を促し（ステップＳ１１）、友人の端末３０から類似度に関する評価入力がなされない場合は（ステップＳ１２の「ＮＯ」）類似度を算出せず処理を終了するが、評価入力がなされれば（ステップＳ１２の「ＹＥＳ」）、制御部３００は友人の端末３０から類似度に関する評価入力を受け付ける（ステップＳ１３）。
【００５９】
そして、制御部３００は、上記のように受け付けた評価入力を加味して、会員テーブル（図４）に記憶された類似度を再計算して更新すると共に、評価人数を更新する（ステップＳ１４）。なお、類似度が記憶されていなかった場合には、受け付けた評価入力を類似度として、評価人数を「１」として記憶する。
【００６０】
図６は、本実施形態に係るサーバ１０における会員検索の処理を示すフローチャートである。すなわち、制御部３００は、まず、他の会員の端末４０から、会員検索の条件入力を受け付ける（ステップＳ２１）。具体的には、制御部３００は、例えば、性別や年齢や趣味等、プロフィールに関する抽出条件を受け付ける。
【００６１】
続いて、制御部３００は、上記のように受け付けた検索条件に基づいて、会員テーブル（図４）を検索し（ステップＳ２２）、検索された会員（ユーザＩＤ）に関するアバターデータおよび類似度を抽出する（ステップＳ２３）。そして、制御部３００は、抽出されたアバターおよび類似度と共に、検索された会員のプロフィール等の属性データを他の会員の端末４０へ送信し、表示させる（ステップＳ２４）。
【００６２】
＜第２実施形態＞
次に、本発明の第２実施形態について図を参照しながら説明する。本実施形態では、本人が交流を希望する人物像を表す画像としての理想アバターに対して、類似する人物の推薦情報を表示させる。
【００６３】
［システム全体構成］
図７は、本実施形態に係るシステム構成および処理概要を示す図である。このシステムでは、本発明の類似度判定装置としてのサーバ１１と、端末２１、４１と、がネットワークを介して接続されている。
【００６４】
ユーザ（本人）は、端末２１において、各種アイテムを組み合わせて理想アバターを作成し、サーバ１１に登録する。この登録された理想アバターは、他の会員の端末４１にも表示される。他の会員は、自分が面識のある人物（友達リスト）と理想アバターとを比較し、類似度評価と共に推薦入力を行う。
【００６５】
サーバ１１は、他の会員の端末４１から入力された類似度評価に基づいて、理想アバターと推薦されたユーザとの類似度を算出する。そして、サーバ１１は、推薦人数や算出された類似度に基づいて、推薦ユーザを決定する。これにより、本人の端末２１では、推薦ユーザに関する属性データ（プロフィール）が類似度と共に表示される。さらに、サーバ１１は、本人の端末２１から、推薦されたユーザが希望と合っているか否かの評価入力を受け付け、推薦した他の会員の評価を行う。
【００６６】
なお、サーバ１１のハードウェア構成は、第１実施形態のサーバ１０（図２）と同様である。
【００６７】
［機能構成］
図８は、本実施形態に係るサーバ１１の機能構成を示す図である。サーバ１１の制御部３００は、作成手段および初期化手段としてのアバター作成部３１１と、条件受付手段としての推薦依頼受付部３１２と、理想アバター表示部３１３と、評価受付手段としての推薦受付部３１４と、類似度算出手段としての類似度算出部３１５と、送信手段としての推薦表示部３１６と、比較評価受付手段としての比較評価受付部３１７と、推薦者評価算出手段としての会員評価算出部３１８と、を備える。また、サーバ１１の記憶装置４１０は、アイテムＤＢ４０１と、登録会員ＤＢ４０２と、記憶手段としての推薦会員ＤＢ４０３と、を備える。
【００６８】
アバター作成部３１１は、本人の端末２１からの要求に応じて、アイテムＤＢ４０１から各種アイテムデータを抽出し、本人が交流を希望する条件（人物像）としての理想アバターを作成する。作成されたアバターデータは、推薦会員ＤＢ４０３に本人のユーザＩＤと対応付けて記憶される。
【００６９】
推薦依頼受付部３１２は、本人の端末２１から、理想アバターで示された以外の希望である推薦条件と共に、推薦依頼の入力を受け付ける。すなわち、推薦依頼受付部３１２は、推薦依頼を受け付けた場合に、以下の推薦および会員評価に係る手段を機能させる。
【００７０】
理想アバター表示部３１３は、推薦会員ＤＢ４０３に記憶された理想アバターを、他の会員の端末４１へ送信する。送信のタイミングは、本人が作成したブログ等のＷｅｂページや、交流相手を紹介する紹介サービスの専用Ｗｅｂページ等を他の会員が閲覧した際であってよい。また、推薦依頼受付部３１２により推薦依頼を受け付けたことに応じて、予め設定された会員宛に、メール等により理想アバターと共に推薦入力フォームのＵＲＬを送信する等であってもよい。
【００７１】
推薦受付部３１４は、他の会員の端末４１から、理想アバターに類似し、推薦条件を満たす推薦ユーザ（例えば、登録会員ＤＢ４０２に登録された会員）を推薦する入力を、その類似度に関する評価と共に受け付ける。なお、評価の入力は、予め推薦ユーザと関連づけされた会員からのみ可能とする。そして、この関連付けは、面識があることを前提として、両者の同意のもとに関連付けて記憶される。これにより、類似度に関する信頼性を高めることができる。ここで、評価の入力方法は、第１実施形態と同様に、例えば、１０点満点での点数や、ＡＢＣの３段階評価等であってよい。
【００７２】
類似度算出部３１５は、推薦受付部３１４により受け付けた複数の評価入力に基づいて、理想アバターと推薦ユーザとの類似度を算出する。具体的には、既知の統計処理により算出してよく、例えば、評価の平均値を類似度としてよい。また、例えば、最も入力の多い評価値や、上下の所定の割合を除いた複数の評価値における平均値等であってもよい。そして、算出された類似度は、推薦会員ＤＢ４０３に記憶される。
【００７３】
図９は、本実施形態に係る推薦会員ＤＢ４０３に格納された推薦会員テーブルを示す図である。推薦会員テーブルには、理想アバターを識別する登録ＩＤに対して、理想アバターを登録したユーザＩＤと、推薦を受ける条件と、理想アバターを構成する複数アイテムのコードと、他の会員から推薦された推薦ユーザのＩＤと、類似度算出部３１５により算出された類似度および、当該推薦ユーザを推薦した人数と、が記憶される。例えば、ユーザ「１２３４」が作成した理想アバター（顔「Ｄ２３４」、髪型「Ｂ７６５」、・・・）は、推薦ユーザ「３４５６」との類似度が１０点満点の「７．８」であり、１２人により推薦されたことが示されている。なお、新たに推薦入力を受け付けた場合には、類似度および推薦人数により、類似度が再計算される。
【００７４】
ここで、推薦を受ける条件としては、推薦ユーザの属性（居住地や年齢等）の他、例えば、本人を匿名とするか否か、匿名の推薦ユーザを認めるか否か、推薦ユーザや推薦と登録するユーザ（他の会員）を所定のグループ（例えば、ＳＮＳでのグループ）内に限定するか否か、自薦を受け付けるか否か、等が指定される。さらに、推薦を登録するユーザ（他の会員）毎に算出される後述の会員評価を、推薦を受ける条件として指定してもよい。
【００７５】
図１０は、本実施形態に係る推薦会員ＤＢ４０３に格納された推薦登録テーブルを示す図である。推薦登録テーブルには、推薦会員テーブル（図９）の登録ＩＤに対して、推薦ユーザと、この推薦ユーザを推薦した登録ユーザと、推薦時の類似度に関する評価と、推薦コメントと、が記憶される。
【００７６】
推薦表示部３１６は、本人の端末２１からの要求に応じて、あるいは他の会員からの推薦入力があったことに応じて、推薦会員ＤＢ４０３に記憶された推薦ユーザの属性データおよび類似度を、本人の端末２１へ送信する。これにより、理想アバターに類似する推薦ユーザが、類似度と共に本人に推薦される。
【００７７】
ここで、推薦ユーザが複数登録されている場合には、推薦人数や類似度に基づいて順位付けすることとしてよい。また、類似度の表示方法は、推薦会員テーブル（図９）に記憶された点数そのままであってよいが、これには限られない。例えば、ＡＢＣの３段階に変換して表示してもよいし、点数に応じた表示態様（表示濃度調整や、色分けや、飾り付け等）を行ってもよい。
【００７８】
比較評価受付部３１７は、本人の端末２１から、推薦ユーザが本人の希望と合っているか否かを評価した比較評価の入力を受け付ける。具体的には、例えば、本人が実際に推薦ユーザに会った場合に、理想アバターと比較して評価入力を行う。また、表示された推薦ユーザの属性データに基づいて本人が評価入力を行ってもよいし、本人が推薦ユーザに関する詳細情報を閲覧したことに応じて、自動的に評価値が送信されてもよい。
【００７９】
会員評価算出部３１８は、比較評価受付部３１７により受け付けた比較評価の入力に基づいて、推薦を登録した登録ユーザ（他の会員）の評価値を算出する。算出された評価値は、登録会員ＤＢ４０２に記憶され、例えば、上述の推薦依頼時の推薦条件として、あるいは、推薦表示時の優先順位を決定する条件をして用いられる。
【００８０】
例えば、推薦時の類似度評価と推薦後の比較評価とを掛け合わせた値を会員評価とすることにより、類似度評価が高いほど、また比較評価が高いほど、会員評価が高く算出される。この場合、比較評価の値は、会員評価のための類似度評価に対する重み付けとして扱われる。さらに、この比較評価は正負いずれの値であってもよく、類似度評価が高い場合にプラスの比較評価がされれば、会員評価は高くなるが、マイナスの比較評価がされれば、会員評価はマイナスの大きな値となる。一方、類似度評価が低い場合には、マイナスの比較評価がされた場合でも、会員評価は大きなマイナスの値とはならない。
【００８１】
また、例えば、推薦時の類似度評価と推薦後の比較評価との差分に基づいて、類似度評価が比較評価と近似するほど、会員評価を高く算出してもよい。この場合、比較評価の値は、類似度評価の正しさを測る比較対象として扱われる。すなわち、類似度評価が高く、かつ比較評価も高い場合には、推薦した会員の評価も高くなるが、類似度評価が高いが比較評価が低い場合には、推薦した会員は希望に合った推薦ができなかったので、評価が低くなる。
【００８２】
図１１は、本実施形態に係る登録会員ＤＢ４０２に格納された会員評価テーブルを示す図である。会員評価テーブルには、会員のユーザＩＤに対して、推薦会員テーブル（図９）の登録ＩＤと、推薦ユーザと、会員の評価値と、が記憶される。例えば、ユーザ「２２２２」は、登録ＩＤ「１２３４５６」の理想アバターに対して、推薦ユーザ「３４５６」を推薦した（類似度評価「８」）。推薦した結果として、本人から「×２点」の比較評価を受けたため、会員評価「１６」（＝８×２）が記憶される。
【００８３】
なお、会員評価の算出は、推薦を登録するユーザ（他の会員）の要求に応じて実行されてもよい。すなわち、推薦受付部３１４は、会員評価を本人から受け付けるか否かの選択入力をさらに受け付け、比較評価受付部３１７は、会員評価を受け付ける選択がなされた場合に、本人の端末２１から比較評価の入力を受け付けることとしてよい。
【００８４】
［処理フロー］
図１２は、本実施形態に係るサーバ１０における類似度判定の処理を示すフローチャートである。すなわち、制御部３００は、他の会員の端末４１に理想アバターおよび推薦を受ける条件を表示させ、推薦ユーザおよび類似度に関する入力を促し（ステップＳ３１）、他の会員の端末４１から推薦ユーザおよび類似度に関する入力がなされた場合は（ステップＳ３２の「ＹＥＳ」）、他の会員の端末４１から推薦ユーザおよび類似度に関する評価入力を受け付け（ステップＳ３３）、評価入力がなされない場合は（ステップＳ３２の「ＮＯ」）、類似度を算出せず処理を終了する。
【００８５】
そして、制御部３００は、上記のように受け付けた評価入力を加味して、推薦会員テーブル（図９）に記憶された類似度を再計算して更新すると共に、推薦人数を更新する（ステップＳ３４）。なお、類似度が記憶されていなかった場合には、受け付けた評価入力を類似度として、推薦人数を「１」として記憶する。
【００８６】
図１３は、本実施形態に係るサーバ１０における会員評価の処理を示すフローチャートである。すなわち、まず制御部３００は、推薦会員テーブル（図９）を参照し、本人の端末２１に、他の会員から推薦された推薦ユーザの属性データおよび、理想アバターとの類似度を表示させる（ステップＳ４１）。
【００８７】
次に制御部３００は、推薦受付部３１４が本人から、推薦を登録したユーザ（他の会員）の評価を行う旨の選択入力を受け付けた場合には（ステップＳ４２の「ＹＥＳ」）、本人の端末２１から、本人が作成した理想アバターと推薦された推薦ユーザとを比較した結果として、比較評価の入力を受け付け（ステップＳ４３）、評価を行う旨の選択入力を受け付けなかった場合には（ステップＳ４２の「ＮＯ」）、会員評価を行わずに処理を終了する。
【００８８】
そして、制御部３００は、上記のように受け付けた比較評価の入力に基づいて、推薦を登録したユーザ（他の会員）の会員評価を算出し、会員評価テーブル（図１１）を更新する（ステップＳ４４）。
【００８９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００９０】
例えば、上述の実施形態では、人物を示す画像を、既存のアイテムを組み合わせたアバターであるとして説明したが、これには限られない。例えば、似顔絵や、特徴を示したイラスト等、描画された画像であってよい。
【図面の簡単な説明】
【００９１】
【図１】第１実施形態に係るシステム構成および処理概要を示す図である。
【図２】第１実施形態に係るサーバのハードウェア構成を示す図である。
【図３】第１実施形態に係るサーバの機能構成を示す図である。
【図４】第１実施形態に係る会員テーブルを示す図である。
【図５】第１実施形態に係る類似度判定の処理を示すフローチャートである。
【図６】第１実施形態に係る会員検索の処理を示すフローチャートである。
【図７】第２実施形態に係るシステム構成および処理概要を示す図である。
【図８】第２実施形態に係るサーバの機能構成を示す図である。
【図９】第２実施形態に係る推薦会員テーブルを示す図である。
【図１０】第２実施形態に係る推薦登録テーブルを示す図である。
【図１１】第２実施形態に係る会員評価テーブルを示す図である。
【図１２】第２実施形態に係る類似度判定の処理を示すフローチャートである。
【図１３】第２実施形態に係る会員評価の処理を示すフローチャートである。
【符号の説明】
【００９２】
１０、１１  サーバ
２０、２１  本人の端末
３０        友人の端末
４０、４１  他の会員の端末
３００  制御部
３０１  アバター作成部
３０２  評価依頼受付部
３０３  本人アバター表示部
３０４  類似度評価受付部
３０５  類似度算出部
３０６  類似度表示部
３１１  アバター作成部
３１２  推薦依頼受付部
３１３  理想アバター表示部
３１４  推薦受付部
３１５  類似度算出部
３１６  推薦表示部
３１７  比較評価受付部
３１８  会員評価算出部
４０１  アイテムＤＢ
４０２  登録会員ＤＢ
４０３  推薦会員ＤＢ
４１０  記憶装置
【図１】
2010044507.tif 000003
【図２】
2010044507.tif 000004
【図３】
2010044507.tif 000005
【図４】
2010044507.tif 000006
【図５】
2010044507.tif 000007
【図６】
2010044507.tif 000008
【図７】
2010044507.tif 000009
【図８】
2010044507.tif 000010
【図９】
2010044507.tif 000011
【図１０】
2010044507.tif 000012
【図１１】
2010044507.tif 000013
【図１２】
2010044507.tif 000014
【図１３】
2010044507.tif 000015
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
人物を表現した画像と当該人物との類似度を判定する類似度判定装置であって、
前記人物を表現した画像の画像データを記憶する記憶手段と、
前記記憶手段により記憶された前記画像データが示す前記画像と前記人物との前記類似度を評価する評価入力を受け付ける評価受付手段と、
前記評価受付手段により受け付けた前記評価入力を統計処理することにより、前記画像と前記人物との前記類似度を算出する類似度算出手段と、を備える類似度判定装置。
【請求項２】
ユーザ端末から要求された複数のアイテムデータの組み合わせにより、アバターを作成する作成手段をさらに備え、
前記記憶手段は、前記画像データとして、前記作成手段により作成された前記アバターを記憶することを特徴とする請求項１に記載の類似度判定装置。
【請求項３】
前記評価受付手段は、前記人物との関連付けがなされた所定のグループ内のユーザから、前記評価入力を受け付けることを特徴とする請求項１又は請求項２に記載の類似度判定装置。
【請求項４】
前記画像データと共に、前記類似度算出手段により算出された前記類似度を送信する送信手段をさらに備え、
前記記憶手段は、ユーザからの要求により、当該ユーザ自身を示す前記画像データを記憶し、
前記送信手段は、前記ユーザとは別のユーザからの要求に応じて、前記類似度を伴った前記画像データを、当該別のユーザの端末へ送信することを特徴とする請求項１から請求項３のいずれかに記載の類似度判定装置。
【請求項５】
前記ユーザから評価依頼を受け付ける依頼受付手段をさらに備え、
前記評価受付手段及び前記類似度算出手段は、前記依頼受付手段により前記評価依頼を受け付けた場合に機能することを特徴とする請求項４に記載の類似度判定装置。
【請求項６】
前記人物の属性データと共に、前記類似度算出手段により算出された前記類似度を送信する送信手段をさらに備え、
前記記憶手段は、ユーザからの要求により、当該ユーザが紹介を希望する人物像を示す前記画像データを記憶し、
前記送信手段は、前記ユーザからの要求に応じて、前記類似度を伴った前記人物の属性データを、当該ユーザの端末へ送信することを特徴とする請求項１から請求項３のいずれかに記載の類似度判定装置。
【請求項７】
前記属性データ又は前記類似度に関する選択条件を受け付ける条件受付手段をさらに備え、
前記送信手段は、前記条件受付手段により受け付けた前記選択条件を満たす人物の前記属性データ及び前記類似度を送信することを特徴とする請求項６に記載の類似度判定装置。
【請求項８】
前記送信手段により送信された前記人物の属性データを前記希望する人物像と比較した比較評価を、前記ユーザから受け付ける比較評価受付手段と、
前記類似度及び前記比較評価受付手段により受け付けた前記比較評価に基づいて、前記類似度を評価した推薦者の評価値を算出する推薦者評価算出手段と、をさらに備える請求項６又は請求項７に記載の類似度判定装置。
【請求項９】
前記記憶手段により記憶された前記画像データが変更された場合に、当該変更された部分に応じた所定のルールに基づいて、前記類似度算出手段により算出された前記類似度を初期化する初期化手段をさらに備える請求項１から請求項８のいずれかに記載の類似度判定装置。
【請求項１０】
人物を表現した画像と当該人物との類似度をコンピュータが判定する方法であって、
前記人物を表現した画像の画像データを記憶する記憶ステップと、
前記記憶ステップにより記憶された前記画像データが示す前記画像と前記人物との前記類似度を評価する評価入力を受け付ける評価受付ステップと、
前記評価受付ステップにより受け付けた前記評価入力を統計処理することにより、前記画像と前記人物との前記類似度を算出する類似度算出ステップと、を含む方法。
【請求項１１】
請求項１０に記載の方法をコンピュータに実行させるプログラム。
【手続補正２】
【補正対象書類名】明細書
【補正対象項目名】全文
【補正方法】変更
【補正の内容】
【発明の詳細な説明】
【技術分野】
【０００１】
本発明は、人物とアバターとの類似度を判定する装置、方法及びプログラムに関する。
【背景技術】
【０００２】
従来、ユーザ間のコミュニケーションを支援するポータルサイトの機能として、顔、髪型、服装等を選択してユーザ自身を象徴するキャラクタ画像であるアバターを作成して表示させるサービスが提供されている。このアバターは、ユーザの分身として、ネットワーク上での擬似的な行動主体として存在し、しばしばユーザ自身の写真の代わりとしても用いられる。
【０００３】
このように、アバターは、ユーザが他のユーザと対話したり、情報発信したりする場合の、ネットワーク上のコミュニティにおけるコミュニケーションをサポートする。さらに、例えば、特許文献１には、ユーザ間で類似したアバターを検索し、コミュニティ形成手段として活用する方法が提案されている。
【特許文献１】特開２００７−３２８６９９号公報
【発明の開示】
【発明が解決しようとする課題】
【０００４】
ところで、ネットワーク上でサークルメンバーの募集を行ったり、交際相手の紹介を行うサービスを利用したりする場合には、各種情報と共に写真を掲載することも多い。そして、写真を掲載することに抵抗がある場合には、掲載をしないか、あるいはアバター等の別画像を掲載することで、人物の雰囲気や特徴を示すことも考えられる。
【０００５】
しかしながら、このようにして利用されるアバター等の画像は、実際にその人物に似ているか否かが不明であるため、情報としての信頼性が低かった。
【０００６】
そこで本発明は、人物を感覚的に表現した画像の情報としての信頼性を高められる装置、方法及びプログラムを提供することを目的とする。
【課題を解決するための手段】
【０００７】
本発明では、以下のような解決手段を提供する。
【０００８】
（１）  人物を表現した画像と当該人物との類似度を判定する類似度判定装置であって、
前記人物を表現した画像の画像データを記憶する記憶手段と、
前記記憶手段により記憶された前記画像データが示す前記画像と前記人物との前記類似度を評価する評価入力を受け付ける評価受付手段と、
前記評価受付手段により受け付けた前記評価入力を統計処理することにより、前記画像と前記人物との前記類似度を算出する類似度算出手段と、を備える類似度判定装置。
【０００９】
このような構成によれば、当該類似度判定装置は、人物を表現した画像の画像データを記憶し、記憶された画像データが示す画像と人物との類似度を評価する評価入力を受け付け、受け付けた評価入力を統計処理することにより、画像と人物との類似度を算出する。
【００１０】
このことにより、当該類似度判定装置は、似顔絵やアバター等の画像で表された人物と面識のあるユーザから類似度に関する評価入力を受け付けることができるので、画像の本人との類似度に関して信頼性を高めることができる。さらに、当該類似度判定装置は、受け付けた評価入力を統計処理して類似度を算出することにより、複数ユーザの意見が反映されるので、情報としての画像の信頼性をより高めることができる。
【００１１】
（２）  ユーザ端末から要求された複数のアイテムデータの組み合わせにより、アバターを作成する作成手段をさらに備え、
前記記憶手段は、前記画像データとして、前記作成手段により作成された前記アバターを記憶することを特徴とする（１）に記載の類似度判定装置。
【００１２】
このような構成によれば、当該類似度判定装置は、ユーザ端末から要求された複数のアイテムデータの組み合わせにより、アバターを作成し、画像データとして、作成されたアバターを記憶する。
【００１３】
このことにより、当該類似度判定装置は、人物のネットワーク上の分身として、複数のアイテムを組み合わせたアバターを作成して記憶することができる。そして、当該類似度判定装置は、このアバターに関しても、人物との類似度を判定するので、信頼性の高いアバターをユーザのコミュニケーションに利用させることができる。
【００１４】
（３）  前記評価受付手段は、前記人物との関連付けがなされた所定のグループ内のユーザから、前記評価入力を受け付けることを特徴とする（１）又は（２）に記載の類似度判定装置。
【００１５】
このような構成によれば、当該類似度判定装置は、類似度に関する評価入力を受け付けるユーザを、所定の関連付けがなされたユーザとする。したがって、例えば、面識があることを前提とした関連付けがなされることにより、評価入力がより信頼できるものとなるので、算出される類似度の信頼性が高まる。
【００１６】
（４）  前記画像データと共に、前記類似度算出手段により算出された前記類似度を送信する送信手段をさらに備え、
前記記憶手段は、ユーザからの要求により、当該ユーザ自身を示す前記画像データを記憶し、
前記送信手段は、前記ユーザとは別のユーザからの要求に応じて、前記類似度を伴った前記画像データを、当該別のユーザの端末へ送信することを特徴とする（１）から（３）のいずれかに記載の類似度判定装置。
【００１７】
このような構成によれば、当該類似度判定装置は、ユーザからの要求により、当該ユーザ自身を示す画像データを記憶し、当該ユーザとは別のユーザからの要求に応じて、類似度を伴った画像データを、別のユーザの端末へ送信する。
【００１８】
このことにより、当該類似度判定装置は、ユーザ自身を示す画像（アバター等）に対して類似度を付加し、別のユーザへ提供することができる。したがって、例えば、写真の代わりとして、自身の特徴を信頼性高く感覚的に伝えることができる。さらに、閲覧者は、付加された類似度を加味して、当該ユーザの情報を読み取ることができる。
【００１９】
（５）  前記ユーザから評価依頼を受け付ける依頼受付手段をさらに備え、
前記評価受付手段及び前記類似度算出手段は、前記依頼受付手段により前記評価依頼を受け付けた場合に機能することを特徴とする（４）に記載の類似度判定装置。
【００２０】
このような構成によれば、当該類似度判定装置は、ユーザから評価依頼を受け付けた場合に、類似度を判定する。したがって、ユーザは、自身の容姿を公開したくないような場合には、秘匿性を保ちつつ、アバター等の画像を利用することができる。
【００２１】
（６）  前記人物の属性データと共に、前記類似度算出手段により算出された前記類似度を送信する送信手段をさらに備え、
前記記憶手段は、ユーザからの要求により、当該ユーザが紹介を希望する人物像を示す前記画像データを記憶し、
前記送信手段は、前記ユーザからの要求に応じて、前記類似度を伴った前記人物の属性データを、当該ユーザの端末へ送信することを特徴とする（１）から（３）のいずれかに記載の類似度判定装置。
【００２２】
このような構成によれば、当該類似度判定装置は、ユーザからの要求により、当該ユーザが紹介を希望する人物像を示す画像データを記憶し、人物の属性データと共に、算出された類似度を当該ユーザの端末へ送信する。
【００２３】
このことにより、当該類似度判定装置は、ユーザが交流を希望する人物像をアバター等の画像として記憶し、実際の人物との類似度を判定するので、この類似度と共にユーザに対して人物の属性データを提供することができる。したがって、ユーザは、画像という感覚的な条件指示により、希望する人物の属性データ（例えば、プロフィール、推薦コメント等）を取得することができる。また、類似度が付加されていることにより、ユーザは、信頼性の高い情報を取得することができる。
【００２４】
（７）  前記属性データ又は前記類似度に関する選択条件を受け付ける条件受付手段をさらに備え、
前記送信手段は、前記条件受付手段により受け付けた前記選択条件を満たす人物の前記属性データ及び前記類似度を送信することを特徴とする（６）に記載の類似度判定装置。
【００２５】
このような構成によれば、当該類似度判定装置は、属性データ又は類似度に関する選択条件を受け付け、受け付けた選択条件を満たす人物の属性データ及び類似度を送信する。
【００２６】
このことにより、当該類似度判定装置は、ユーザから指定された選択条件に基づいて、希望する人物の属性データ及び類似度を提供するので、ユーザは、アバター等の画像に類似し、希望条件に合った人物の情報を効率的に取得することができる。
【００２７】
（８）  前記送信手段により送信された前記人物の属性データを前記希望する人物像と比較した比較評価を、前記ユーザから受け付ける比較評価受付手段と、
前記類似度及び前記比較評価受付手段により受け付けた前記比較評価に基づいて、前記類似度を評価した推薦者の評価値を算出する推薦者評価算出手段と、をさらに備える（６）又は（７）に記載の類似度判定装置。
【００２８】
このような構成によれば、当該類似度判定装置は、送信された人物の属性データを前記希望する人物像と比較した評価をユーザから受け付け、類似度及び受け付けた評価に基づいて、類似度を評価した推薦者の評価値を算出する。
【００２９】
このことにより、当該類似度判定装置は、類似する人物を推薦した推薦者について、ユーザから受け付けた比較評価に基づく評価値を算出するので、推薦者に対して正確な入力を促すことができる。また、この評価値に基づいて推薦情報（類似する人物の属性情報）を選択したり、優先度の重み付けを行うことができるので、ユーザは、より信頼性の高い情報を取得することができる。
【００３０】
（９）  前記記憶手段により記憶された前記画像データが変更された場合に、当該変更された部分に応じた所定のルールに基づいて、前記類似度算出手段により算出された前記類似度を初期化する初期化手段をさらに備える（１）から（８）のいずれかに記載の類似度判定装置。
【００３１】
このような構成によれば、当該類似度判定装置は、所定のルールに基づいて、算出された類似度を初期化する。例えば、アバターの顔アイテムが変更されたり、種類が大きく異なる服装アイテムに変更されたりした場合には、画像の印象が変わるので、以前のアバターで算出された類似度は信用できない値として初期化する。一方、背景が変更されたり、鞄のみが変更されたりした場合には、人物の印象は大きく変わらないため、以前に算出された類似度をそのまま使用することができる。したがって、当該類似度判定装置は、記憶される画像が変更された場合にも、類似度を適切に更新できる可能性がある。
【００３２】
（１０）  人物を表現した画像と当該人物との類似度をコンピュータが判定する方法であって、
前記人物を表現した画像の画像データを記憶する記憶ステップと、
前記記憶ステップにより記憶された前記画像データが示す前記画像と前記人物との前記類似度を評価する評価入力を受け付ける評価受付ステップと、
前記評価受付ステップにより受け付けた前記評価入力を統計処理することにより、前記画像と前記人物との前記類似度を算出する類似度算出ステップと、を含む方法。
【００３３】
このような構成によれば、当該方法を実行することにより、（１）と同様の効果が期待できる。
【００３４】
（１１）  （１０）に記載の方法をコンピュータに実行させるプログラム。
【００３５】
このような構成によれば、当該プログラムをコンピュータに実行させることにより、（１）と同様の効果が期待できる。
【発明の効果】
【００３６】
本発明によれば、人物を感覚的に表現した画像の情報としての信頼性を高めることができる。
【発明を実施するための最良の形態】
【００３７】
＜第１実施形態＞
以下、本発明の第１実施形態について図を参照しながら説明する。本実施形態では、本人を示す画像としてのアバターを、本人との類似度の判定結果と共に、他のユーザの端末へ表示させる。なお、以下では、各端末のユーザは、所定のサービス（例えば、ＳＮＳ（Ｓｏｃｉａｌ  Ｎｅｔｗｏｒｋ  Ｓｅｒｖｉｃｅ）等）の会員に属しているものとして説明する。
【００３８】
［システム全体構成］
図１は、本実施形態に係るシステム構成及び処理概要を示す図である。このシステムでは、本発明の類似度判定装置としてのサーバ１０と、端末２０、３０及び４０と、がネットワークを介して接続されている。
【００３９】
ユーザ（本人）は、端末２０において、各種アイテムを組み合わせて本人アバターを作成し、サーバ１０に登録する。この登録された本人アバターは、本人と面識のある友人の端末３０にも表示される。友人は、この本人アバターと実際の人物（本人）とが似ているか否かを評価してサーバ１０へ入力する。
【００４０】
サーバ１０は、友人の端末３０から入力された評価入力に基づいて、本人アバターと本人との類似度を算出する。そして、他の会員の端末４０では、検索条件にマッチした人物のプロフィールと共に、この人物のアバターに対して算出された類似度が付加されて表示される。
【００４１】
［ハードウェア構成］
図２は、本実施形態に係るサーバ１０のハードウェア構成を示す図である。サーバ１０は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０及び半導体メモリ３９０を備える。なお、ハードディスク３７０、光ディスクドライブ３８０及び半導体メモリ３９０はまとめて記憶装置４１０と呼ばれる。
【００４２】
制御部３００は、サーバ１０を統括的に制御する部分であり、ハードディスク３７０に記憶された各種プログラムを適宜読み出して実行することにより、上述したハードウェアと協働し、本発明に係る各種機能を実現している。
【００４３】
通信Ｉ／Ｆ３３０は、サーバ１０が、ネットワークを介して端末２０、３０及び４０等、他の装置と情報を送受信する場合のネットワーク・アダプタである。通信Ｉ／Ｆ３３０は、モデム、ケーブル・モデム及びイーサネット（登録商標）・アダプタを含んでよい。
【００４４】
ＢＩＯＳ３５０は、サーバ１０の起動時にＣＰＵ３１０が実行するブートプログラムや、サーバ１０のハードウェアに依存するプログラム等を記録する。
【００４５】
Ｉ／Ｏコントローラ３６０には、ハードディスク３７０、光ディスクドライブ３８０及び半導体メモリ３９０等の記憶装置４１０を接続することができる。
【００４６】
ハードディスク３７０は、本ハードウェアをサーバ１０として機能させるための各種プログラム、本発明の機能を実行するプログラム及び後述するテーブル等を記憶する。なお、サーバ１０は、外部に別途設けたハードディスク（図示せず）を外部記憶装置として利用することもできる。
【００４７】
光ディスクドライブ３８０としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
【００４８】
なお、本発明でいうコンピュータとは、記憶装置、制御部等を備えた情報処理装置をいい、サーバ１０は、記憶装置４１０、制御部３００等を備えた情報処理装置により構成され、この情報処理装置は、本発明のコンピュータの概念に含まれる。
【００４９】
［機能構成］
図３は、本実施形態に係るサーバ１０の機能構成を示す図である。サーバ１０の制御部３００は、作成手段及び初期化手段としてのアバター作成部３０１と、依頼受付手段としての評価依頼受付部３０２と、本人アバター表示部３０３と、評価受付手段としての類似度評価受付部３０４と、類似度算出手段としての類似度算出部３０５と、送信手段としての類似度表示部３０６と、を備える。また、サーバ１０の記憶装置４１０は、アイテムＤＢ４０１と、記憶手段としての登録会員ＤＢ４０２と、を備える。
【００５０】
アバター作成部３０１は、本人の端末２０からの要求に応じて、アイテムＤＢ４０１から各種アイテムデータを抽出し、本人のアバターを作成する。作成されたアバターデータは、登録会員ＤＢ４０２に本人のユーザＩＤと対応付けて記憶される。
【００５１】
評価依頼受付部３０２は、本人の端末２０から、アバター作成部３０１にて作成されて記憶されたアバターの、本人との類似度の評価依頼を受け付ける。すなわち、評価依頼受付部３０２は、評価依頼を受け付けた場合に、以下の類似度算出に係る手段を機能させる。
【００５２】
本人アバター表示部３０３は、登録会員ＤＢ４０２に記憶された本人アバターを、友人の端末３０へ送信する。送信のタイミングは、本人が作成したブログ等のＷｅｂページや、交流相手を紹介する紹介サービスの専用Ｗｅｂページ等を友人が閲覧した際であってよい。また、評価依頼受付部３０２により評価依頼を受け付けたことに応じて、予め設定された友人宛にメール等により本人アバターと共に評価入力フォームのＵＲＬを送信してもよい。
【００５３】
類似度評価受付部３０４は、友人の端末３０から、本人アバターが本人と類似しているか否かに関する評価の入力を受け付ける。なお、評価の入力は、予め本人と関連付けされたユーザ（友人）からのみ可能とし、この関連付けは、互いに面識があることを前提として、両者の同意のもとに記憶される。これにより、評価入力の信頼度を高めることができる。ここで、評価の入力方法は、例えば、１０点満点での点数や、ＡＢＣの３段階評価等であってよい。
【００５４】
類似度算出部３０５は、類似度評価受付部３０４により受け付けた複数の評価入力に基づいて、本人アバターと本人との類似度を算出する。具体的には、類似度は、既知の統計処理により算出してよく、例えば、評価の平均値を類似度としてよい。また、例えば、最も入力の多い評価値や、上下の所定の割合を除いた複数の評価値における平均値を類似度としてもよい。そして、算出された類似度は、登録会員ＤＢ４０２に記憶される。
【００５５】
図４は、本実施形態に係る登録会員ＤＢ４０２に格納された会員テーブルを示す図である。会員テーブルには、本人のユーザＩＤに対して、本人を紹介するプロフィールデータと、アバターを構成する複数アイテムのコードと、類似度算出部３０５により算出された類似度と、類似度評価受付部３０４により評価入力を受け付けた人数と、が記憶される。例えば、ユーザ「１２３４」が作成したアバター（顔「Ｄ６７８」、髪型「Ｂ８９８」、・・・）は、ユーザ「１２３４」との類似度が１０点満点の「７．５」であり、１５人により評価されたことが示されている。なお、新たに評価入力を受け付けた場合には、類似度及び評価人数により、類似度が再計算される。
【００５６】
類似度表示部３０６は、他の会員の端末４０からの要求（例えば、プロフィールに関する抽出条件を伴う検索要求）に応じて、登録会員ＤＢ４０２に記憶された類似度を、アバター画像に付加し、他の会員の端末４０へ送信する。これにより、類似度の高いアバターは、本人の写真の代わりとして他の会員に認識される。
【００５７】
なお、類似度の表示方法は、会員テーブル（図４）に記憶された点数そのままであってよいが、これには限られない。例えば、ＡＢＣの３段階に変換して表示してもよいし、点数に応じた表示態様の区別（表示濃度調整や、色分けや、飾り付け等）を行ってもよい。
【００５８】
［処理フロー］
図５は、本実施形態に係るサーバ１０における類似度判定の処理を示すフローチャートである。制御部３００は、友人の端末３０に本人アバターを表示させて類似度に関する評価入力を促し（ステップＳ１１）、友人の端末３０から類似度に関する評価入力がなされない場合は（ステップＳ１２の「ＮＯ」）類似度を算出せず処理を終了するが、評価入力がなされれば（ステップＳ１２の「ＹＥＳ」）、友人の端末３０から類似度に関する評価入力を受け付ける（ステップＳ１３）。
【００５９】
そして、制御部３００は、上記のように受け付けた評価入力を加味して、会員テーブル（図４）の類似度を算出（再計算）して更新すると共に、評価人数を更新する（ステップＳ１４）。なお、類似度が記憶されていなかった場合には、受け付けた評価入力を類似度として、評価人数を「１」として記憶する。
【００６０】
図６は、本実施形態に係るサーバ１０における会員検索の処理を示すフローチャートである。制御部３００は、まず、他の会員の端末４０から、会員検索の条件入力を受け付ける（ステップＳ２１）。具体的には、制御部３００は、例えば、性別や年齢や趣味等、プロフィールに関する検索条件を受け付ける。
【００６１】
続いて、制御部３００は、上記のように受け付けた検索条件に基づいて、会員テーブル（図４）を検索し（ステップＳ２２）、検索された会員（ユーザＩＤ）に関するアバターデータ及び類似度を抽出する（ステップＳ２３）。そして、制御部３００は、抽出されたアバター及び類似度と共に、検索された会員のプロフィール等の属性データを検索結果として他の会員の端末４０へ送信し、表示させる（ステップＳ２４）。
【００６２】
＜第２実施形態＞
次に、本発明の第２実施形態について図を参照しながら説明する。本実施形態では、本人が交流を希望する人物像を表す画像としての理想アバターに対して、類似する人物の推薦情報を表示させる。
【００６３】
［システム全体構成］
図７は、本実施形態に係るシステム構成及び処理概要を示す図である。このシステムでは、本発明の類似度判定装置としてのサーバ１１と、端末２１及び４１と、がネットワークを介して接続されている。
【００６４】
ユーザ（本人）は、端末２１において、各種アイテムを組み合わせて理想アバターを作成し、サーバ１１に登録する。この登録された理想アバターは、他の会員の端末４１にも表示される。他の会員は、自分が面識のある人物（友達リスト）と理想アバターとを比較し、類似度評価と共に推薦入力を行う。
【００６５】
サーバ１１は、他の会員の端末４１から入力された類似度評価に基づいて、理想アバターと推薦されたユーザとの類似度を算出する。そして、サーバ１１は、推薦人数や算出された類似度に基づいて、推薦ユーザを決定する。これにより、本人の端末２１では、推薦ユーザに関する属性データ（プロフィール）が類似度と共に表示される。さらに、サーバ１１は、本人の端末２１から、推薦されたユーザが希望と合っているか否かの比較評価入力を受け付け、推薦した他の会員の評価を行う。
【００６６】
なお、サーバ１１のハードウェア構成は、第１実施形態のサーバ１０（図２）と同様である。
【００６７】
［機能構成］
図８は、本実施形態に係るサーバ１１の機能構成を示す図である。サーバ１１の制御部３００は、作成手段及び初期化手段としてのアバター作成部３１１と、条件受付手段としての推薦依頼受付部３１２と、理想アバター表示部３１３と、評価受付手段としての推薦受付部３１４と、類似度算出手段としての類似度算出部３１５と、送信手段としての推薦表示部３１６と、比較評価受付手段としての比較評価受付部３１７と、推薦者評価算出手段としての会員評価算出部３１８と、を備える。また、サーバ１１の記憶装置４１０は、アイテムＤＢ４０１と、登録会員ＤＢ４０２と、記憶手段としての推薦会員ＤＢ４０３と、を備える。
【００６８】
アバター作成部３１１は、本人の端末２１からの要求に応じて、アイテムＤＢ４０１から各種アイテムデータを抽出し、本人が交流を希望する条件（人物像）としての理想アバターを作成する。作成されたアバターデータは、推薦会員ＤＢ４０３に本人のユーザＩＤと対応付けて記憶される。
【００６９】
推薦依頼受付部３１２は、本人の端末２１から、理想アバターで示された以外の希望である推薦条件と共に、推薦依頼の入力を受け付ける。すなわち、推薦依頼受付部３１２は、推薦依頼を受け付けた場合に、以下の推薦及び会員評価に係る手段を機能させる。
【００７０】
理想アバター表示部３１３は、推薦会員ＤＢ４０３に記憶された理想アバターを、他の会員の端末４１へ送信する。送信のタイミングは、本人が作成したブログ等のＷｅｂページや、交流相手を紹介する紹介サービスの専用Ｗｅｂページ等を他の会員が閲覧した際であってよい。また、推薦依頼受付部３１２により推薦依頼を受け付けたことに応じて、予め設定された会員宛に、メール等により理想アバターと共に推薦入力フォームのＵＲＬを送信してもよい。
【００７１】
推薦受付部３１４は、他の会員の端末４１から、理想アバターに類似し、推薦条件を満たす推薦ユーザ（例えば、登録会員ＤＢ４０２に登録された会員）を推薦する入力を、その類似度に関する評価と共に受け付ける。なお、評価の入力は、予め推薦ユーザと関連づけされた会員からのみ可能とする。そして、この関連付けは、互いに面識があることを前提として、両者の同意のもとに記憶される。これにより、類似度に関する信頼性を高めることができる。ここで、評価の入力方法は、第１実施形態と同様に、例えば、１０点満点での点数や、ＡＢＣの３段階評価等であってよい。
【００７２】
類似度算出部３１５は、推薦受付部３１４により受け付けた複数の評価入力に基づいて、理想アバターと推薦ユーザとの類似度を算出する。具体的には、類似度は、既知の統計処理により算出してよく、例えば、評価の平均値を類似度としてよい。また、例えば、最も入力の多い評価値や、上下の所定の割合を除いた複数の評価値における平均値を類似度としてもよい。そして、算出された類似度は、推薦会員ＤＢ４０３に記憶される。
【００７３】
図９は、本実施形態に係る推薦会員ＤＢ４０３に格納された推薦会員テーブルを示す図である。推薦会員テーブルには、理想アバターを識別する登録ＩＤに対して、理想アバターを登録したユーザＩＤと、推薦を受ける条件と、理想アバターを構成する複数アイテムのコードと、他の会員から推薦された推薦ユーザのＩＤと、類似度算出部３１５により算出された類似度と、当該推薦ユーザを推薦した人数と、が記憶される。例えば、ユーザ「１２３４」が作成した理想アバター（顔「Ｄ２３４」、髪型「Ｂ７６５」、・・・）は、推薦ユーザ「３４５６」との類似度が１０点満点の「７．８」であり、１２人により推薦されたことが示されている。なお、新たに推薦入力を受け付けた場合には、類似度及び推薦人数により、類似度が再計算される。
【００７４】
ここで、推薦を受ける条件としては、推薦ユーザの属性（居住地や年齢等）の他、例えば、本人を匿名とするか否か、匿名の推薦ユーザを認めるか否か、推薦ユーザや推薦を登録するユーザ（他の会員）を所定のグループ（例えば、ＳＮＳでのグループ）内に限定するか否か、自薦を受け付けるか否か、等が指定される。さらに、推薦を登録するユーザ（他の会員）毎に算出される後述の会員評価を、推薦を受ける条件として指定してもよい。
【００７５】
図１０は、本実施形態に係る推薦会員ＤＢ４０３に格納された推薦登録テーブルを示す図である。推薦登録テーブルには、推薦会員テーブル（図９）の登録ＩＤに対して、推薦ユーザと、この推薦ユーザを推薦した登録ユーザと、推薦時の類似度に関する評価と、推薦コメントと、が記憶される。
【００７６】
推薦表示部３１６は、本人の端末２１からの要求に応じて、あるいは他の会員からの推薦入力があったことに応じて、推薦会員ＤＢ４０３に記憶された推薦ユーザの属性データ及び類似度を、本人の端末２１へ送信する。これにより、理想アバターに類似する推薦ユーザが、類似度と共に本人に推薦される。
【００７７】
ここで、推薦ユーザが複数登録されている場合には、推薦人数や類似度に基づいて順位付けすることとしてよい。また、類似度の表示方法は、推薦会員テーブル（図９）に記憶された点数そのままであってよいが、これには限られない。例えば、ＡＢＣの３段階に変換して表示してもよいし、点数に応じた表示態様の区別（表示濃度調整や、色分けや、飾り付け等）を行ってもよい。
【００７８】
比較評価受付部３１７は、本人の端末２１から、推薦ユーザが本人の希望と合っているか否かを評価した比較評価の入力を受け付ける。具体的には、例えば、本人が実際に推薦ユーザに会った場合に、理想アバターと比較して比較評価入力を行う。また、表示された推薦ユーザの属性データに基づいて本人が比較評価入力を行ってもよいし、本人が推薦ユーザに関する詳細情報を閲覧したことに応じて、自動的に評価値が送信されてもよい。
【００７９】
会員評価算出部３１８は、比較評価受付部３１７により受け付けた比較評価の入力に基づいて、推薦を登録した登録ユーザ（他の会員）の評価値を算出する。算出された評価値は、登録会員ＤＢ４０２に記憶され、例えば、上述の推薦依頼時の推薦条件として、あるいは、推薦表示時の優先順位を決定する条件として用いられる。
【００８０】
例えば、推薦時の類似度評価と推薦後の比較評価とを掛け合わせた値を会員評価とすることにより、類似度評価が高いほど、また、比較評価が高いほど、会員評価が高く算出される。この場合、比較評価の値は、会員評価のための類似度評価に対する重み付けとして扱われる。さらに、この比較評価は正負いずれの値であってもよく、類似度評価が高い場合にプラスの比較評価がされれば、会員評価は高くなるが、マイナスの比較評価がされれば、会員評価はマイナスの大きな値となる。一方、類似度評価が低い場合には、マイナスの比較評価がされた場合でも、会員評価は大きなマイナスの値とはならない。
【００８１】
また、例えば、推薦時の類似度評価と推薦後の比較評価との差分に基づいて、類似度評価が比較評価と近似するほど、会員評価を高く算出してもよい。この場合、比較評価の値は、類似度評価の正しさを測る比較対象として扱われる。すなわち、類似度評価が高く、かつ、比較評価も高い場合には、推薦した会員の会員評価も高くなるが、類似度評価が高いが比較評価が低い場合には、推薦した会員は希望に合った推薦ができなかったので、会員評価が低くなる。
【００８２】
図１１は、本実施形態に係る登録会員ＤＢ４０２に格納された会員評価テーブルを示す図である。会員評価テーブルには、会員のユーザＩＤに対して、推薦会員テーブル（図９）の登録ＩＤと、推薦ユーザと、この会員の会員評価（ユーザ評価）と、が記憶される。例えば、ユーザ「２２２２」は、登録ＩＤ「１２３４５６」の理想アバターに対して、推薦ユーザ「３４５６」を推薦した（類似度評価「８」）。推薦した結果として、本人から「×２点」の比較評価を受けたため、会員評価「１６」（＝８×２）が記憶される。
【００８３】
なお、会員評価の算出は、推薦を登録するユーザ（他の会員）の要求に応じて実行されてもよい。すなわち、推薦受付部３１４は、会員評価を本人から受け付けるか否かの選択入力をさらに受け付け、比較評価受付部３１７は、会員評価を受け付ける選択がなされた場合に、本人の端末２１から比較評価の入力を受け付けることとしてよい。
【００８４】
［処理フロー］
図１２は、本実施形態に係るサーバ１０における類似度判定の処理を示すフローチャートである。制御部３００は、他の会員の端末４１に理想アバター及び推薦を受ける条件を表示させて推薦ユーザ及び類似度評価に関する入力を促し（ステップＳ３１）、他の会員の端末４１から推薦ユーザ及び類似度評価に関する入力がなされた場合は（ステップＳ３２の「ＹＥＳ」）、他の会員の端末４１から推薦ユーザ及び類似度評価に関する入力を受け付け（ステップＳ３３）、入力がなされない場合は（ステップＳ３２の「ＮＯ」）、類似度を算出せず処理を終了する。
【００８５】
そして、制御部３００は、上記のように受け付けた類似度評価の入力を加味して、推薦会員テーブル（図９）の類似度を算出（再計算）して更新すると共に、推薦人数を更新する（ステップＳ３４）。なお、類似度が記憶されていなかった場合には、受け付けた類似度評価の入力を類似度として、推薦人数を「１」として記憶する。
【００８６】
図１３は、本実施形態に係るサーバ１０における会員評価の処理を示すフローチャートである。まず制御部３００は、推薦会員テーブル（図９）を参照し、本人の端末２１に、他の会員から推薦された推薦ユーザの属性データ、及び理想アバターとの類似度を表示させる（ステップＳ４１）。
【００８７】
次に制御部３００は、推薦受付部３１４により推薦を登録した推薦者（他の会員）の評価を行う旨の選択入力を受け付けた場合には（ステップＳ４２の「ＹＥＳ」）、本人の端末２１から、本人が作成した理想アバターと推薦された推薦ユーザとを比較した結果として、比較評価の入力を受け付け（ステップＳ４３）、評価を行う旨の選択入力を受け付けなかった場合には（ステップＳ４２の「ＮＯ」）、会員評価を行わずに処理を終了する。
【００８８】
そして、制御部３００は、上記のように受け付けた比較評価の入力に基づいて、推薦を登録した推薦者（他の会員）の会員評価を算出し、会員評価テーブル（図１１）を更新する（ステップＳ４４）。
【００８９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００９０】
例えば、上述の実施形態では、人物を示す画像を、既存のアイテムを組み合わせたアバターであるとして説明したが、これには限られない。例えば、似顔絵や、特徴を示したイラスト等、描画された画像であってよい。
【図面の簡単な説明】
【００９１】
【図１】第１実施形態に係るシステム構成及び処理概要を示す図である。
【図２】第１実施形態に係るサーバのハードウェア構成を示す図である。
【図３】第１実施形態に係るサーバの機能構成を示す図である。
【図４】第１実施形態に係る会員テーブルを示す図である。
【図５】第１実施形態に係る類似度判定の処理を示すフローチャートである。
【図６】第１実施形態に係る会員検索の処理を示すフローチャートである。
【図７】第２実施形態に係るシステム構成及び処理概要を示す図である。
【図８】第２実施形態に係るサーバの機能構成を示す図である。
【図９】第２実施形態に係る推薦会員テーブルを示す図である。
【図１０】第２実施形態に係る推薦登録テーブルを示す図である。
【図１１】第２実施形態に係る会員評価テーブルを示す図である。
【図１２】第２実施形態に係る類似度判定の処理を示すフローチャートである。
【図１３】第２実施形態に係る会員評価の処理を示すフローチャートである。
【符号の説明】
【００９２】
１０、１１  サーバ
２０、２１  本人の端末
３０        友人の端末
４０、４１  他の会員の端末
３００  制御部
３０１  アバター作成部
３０２  評価依頼受付部
３０３  本人アバター表示部
３０４  類似度評価受付部
３０５  類似度算出部
３０６  類似度表示部
３１１  アバター作成部
３１２  推薦依頼受付部
３１３  理想アバター表示部
３１４  推薦受付部
３１５  類似度算出部
３１６  推薦表示部
３１７  比較評価受付部
３１８  会員評価算出部
４０１  アイテムＤＢ
４０２  登録会員ＤＢ
４０３  推薦会員ＤＢ
４１０  記憶装置